(57)【要約】【課題】筒体内の土壌温度の変化幅を小さくし、また土壌温度の過度な上昇を防止することができるカンゾウ属植物の栽培方法を提供する。【解決手段】培土を収容した栽培用筒体１内においてカンゾウ属植物を生育させるカンゾウ属植物の栽培方法において、該栽培用筒体１の下部のノズル１ｅから給水を行うことを特徴とするカンゾウ属植物の栽培方法。筒体１の仕切り部材１ｄの下側に貯留室１ｆが設けられている。筒体の内周面に凸条１ｔを設けてもよい。筒体の内周面に沿って不織布を設けてもよい。【選択図】図１
2019187337.tif 000002
【特許請求の範囲】
【請求項１】
培土を収容した栽培用筒体内においてカンゾウ属植物を生育させるカンゾウ属植物の栽培方法において、該栽培用筒体の下部から給水を行うことを特徴とするカンゾウ属植物の栽培方法。
【請求項２】
前記栽培用筒体内の下部に透水孔を有する仕切り部材を設け、該仕切り部材の下側に水の貯留室を設け、該貯留室に給水を行うことを特徴とする請求項１のカンゾウ属植物の栽培方法。
【請求項３】
前記栽培用筒体内の下部に粒状体又は多孔質体を充填しておき、該粒状体又は多孔質体の隙間を通して前記培土に給水することを特徴とする請求項１又は２のカンゾウ属植物の栽培方法。
【請求項４】
前記栽培用筒体の下端部をトレー内に配置し、トレー内に給水し、該トレー内の水を前記栽培用筒体の下部に供給することを特徴とする請求項１〜３のいずれかのカンゾウ属植物の栽培方法。
【請求項５】
栽培前期の給水水位を栽培後期の給水水位よりも高位とすることを特徴とする請求項１〜４のいずれかのカンゾウ属植物の栽培方法。
【請求項６】
前記栽培用筒体の内周面に凸部が設けられていることを特徴とする請求項１〜５のいずれかのカンゾウ属植物の栽培方法。
【請求項７】
前記栽培用筒体の内周面に沿って不織布又は遮根シートが配置されていることを特徴とする請求項１〜６のいずれかのカンゾウ属植物の栽培方法。
【請求項８】
前記栽培用筒体を断熱材で囲むことを特徴とする請求項１〜７のいずれかのカンゾウ属植物の栽培方法。
【請求項９】
筒軸心方向を上下方向として配置された栽培用筒体と、
該栽培用筒体の下部に給水する給水手段とを有するカンゾウ属植物栽培装置。
【請求項１０】
前記栽培用筒体内の下部に透水孔を有する仕切り部材が設けられており、該仕切り部材の下側に水の貯留室が設けられ、前記給水手段は該貯留室に給水を行うよう構成されていることを特徴とする請求項８のカンゾウ属植物栽培装置。
【請求項１１】
前記給水手段は、前記栽培用筒体の下部に定水位となるように水を供給する機構を有する請求項９又は１０のカンゾウ属植物栽培装置。
【請求項１２】
前記栽培用筒体内の下部に粒状体又は多孔質体が充填され、該粒状体又は多孔質体を通して上側の培土に給水可能とされていることを特徴とする請求項９のカンゾウ属植物栽培装置。
【請求項１３】
前記栽培用筒体の下端部が上方から差し込まれたトレーを有しており、前記給水手段は該トレー内に給水するよう構成されていることを特徴とする請求項９〜１２のいずれかのカンゾウ属植物栽培装置。
【請求項１４】
前記栽培用筒体が複数個設置され、各栽培用筒体の下部に前記給水手段が接続されていることを特徴とする請求項９〜１３のいずれかのカンゾウ属植物栽培装置。
【請求項１５】
前記栽培用筒体が複数個設置され、前記栽培用筒体の下部同士が直列に接続され、最上流側の栽培用筒体に給水手段が接続されていることを特徴とする請求項９〜１３のいずれかのカンゾウ属植物栽培装置。
【請求項１６】
前記複数の栽培用筒体が断熱材ボックス内に配置されていることを特徴とする請求項１４又は１５のカンゾウ属植物栽培装置。
【発明の詳細な説明】
【技術分野】
【０００１】
本発明は、カンゾウ属植物の栽培方法及び装置に関する。
【背景技術】
【０００２】
カンゾウ属植物は、薬用植物として広く用いられている。カンゾウ属植物は、主として地下部が利用されるため、真直ぐ且つ肥大化した根及び地下茎部を得るための栽培方法として、カンゾウ属植物を円筒形の栽培用筒体内の培土に植えて栽培する方法が特許文献１に記載されている。
【０００３】
特許文献１では、カンゾウ属植物を植えた栽培用筒体をハウス内の土壌上に起立配置して栽培を行う。
【先行技術文献】
【特許文献】
【０００４】
【特許文献１】特開２０１０−２９１８１号公報
【発明の概要】
【発明が解決しようとする課題】
【０００５】
特許文献１では、筒体の上部から水が供給される（特許文献１、００２８段落）。カンゾウ属植物の根は、水分を求めて伸びる性質があるので、このように上から給水するとカンゾウ属植物の根は下方へ真直ぐには伸びにくい。
【０００６】
本発明は、根が比較的真直ぐに下方に伸び、形状が良好な根を収穫することができるカンゾウ属植物の栽培方法と、そのための栽培装置を提供することを目的とする。
【課題を解決するための手段】
【０００７】
上記課題を解決するための手段の一例は次の通りである。
【０００８】
［１］  培土を収容した栽培用筒体内においてカンゾウ属植物を生育させるカンゾウ属植物の栽培方法において、該栽培用筒体の下部から給水を行うことを特徴とするカンゾウ属植物の栽培方法。
【０００９】
［２］  前記栽培用筒体内の下部に透水孔を有する仕切り部材を設け、該仕切り部材の下側に水の貯留室を設け、該貯留室に給水を行うことを特徴とする［１］のカンゾウ属植物の栽培方法。
【００１０】
［３］  前記栽培用筒体内の下部に粒状体又は多孔質体を充填しておき、該粒状体又は多孔質体の隙間を通して前記培土に給水することを特徴とする［１］又は［２］のカンゾウ属植物の栽培方法。
【００１１】
［４］  前記栽培用筒体の下端部をトレー内に配置し、トレー内に給水し、該トレー内の水を前記栽培用筒体の下部に供給することを特徴とする［１］〜［３］のいずれかのカンゾウ属植物の栽培方法。
【００１２】
［５］  栽培前期の給水水位を栽培後期の給水水位よりも高位とすることを特徴とする［１］〜［４］のいずれかのカンゾウ属植物の栽培方法。
【００１３】
［６］  前記栽培用筒体の内周面に凸部が設けられていることを特徴とする［１］〜［５］のいずれかのカンゾウ属植物の栽培方法。
【００１４】
［７］  前記栽培用筒体の内周面に沿って不織布又は遮根シートが配置されていることを特徴とする［１］〜［６］のいずれかのカンゾウ属植物の栽培方法。
【００１５】
［８］  前記栽培用筒体を断熱材で囲むことを特徴とする［１］〜［７］のいずれかのカンゾウ属植物の栽培方法。
【００１６】
［９］  筒軸心方向を上下方向として配置された栽培用筒体と、該栽培用筒体の下部に給水する給水手段とを有するカンゾウ属植物栽培装置。
【００１７】
［１０］  前記栽培用筒体内の下部に透水孔を有する仕切り部材が設けられており、該仕切り部材の下側に水の貯留室が設けられ、前記給水手段は該貯留室に給水を行うよう構成されていることを特徴とする［８］のカンゾウ属植物栽培装置。
【００１８】
［１１］  前記給水手段は、前記栽培用筒体の下部に定水位となるように水を供給する機構を有する［９］又は［１０］のカンゾウ属植物栽培装置。
【００１９】
［１２］  前記栽培用筒体内の下部に粒状体又は多孔質体が充填され、該粒状体又は多孔質体を通して上側の培土に給水可能とされていることを特徴とする［９］のカンゾウ属植物栽培装置。
【００２０】
［１３］  前記栽培用筒体の下端部が上方から差し込まれたトレーを有しており、前記給水手段は該トレー内に給水するよう構成されていることを特徴とする［９］〜［１２］のいずれかのカンゾウ属植物栽培装置。
【００２１】
［１４］  前記栽培用筒体が複数個設置され、各栽培用筒体の下部に前記給水手段が接続されていることを特徴とする［９］〜［１３］のいずれかのカンゾウ属植物栽培装置。
【００２２】
［１５］  前記栽培用筒体が複数個設置され、前記栽培用筒体の下部同士が直列に接続され、最上流側の栽培用筒体に給水手段が接続されていることを特徴とする［９］〜［１３］のいずれかのカンゾウ属植物栽培装置。
【００２３】
［１６］  前記複数の栽培用筒体が断熱材ボックス内に配置されていることを特徴とする［１４］又は［１５］のカンゾウ属植物栽培装置。
【００２４】
なお、本発明において、カンゾウ属植物としては、ウラルカンゾウ（G. uralensis）、スペインカンゾウ（G.glabra）などが例示されるが、これらに限定されない。
【発明の効果】
【００２５】
本発明のカンゾウ属植物の栽培方法及び装置では、筒体の下部から給水を行う。そのため、筒体内の培土の水分は下部ほど多いものとなるので、根は真直ぐに下方に伸びるようになり、比較的真直ぐで形状の良好な根を収穫することが可能となる。また、通常の土壌栽培では、土質や土壌に含まれる石、有機物などにより水分含量のバラツキが大きいところ、本発明のカンゾウ属植物の栽培方法及び装置では、給水供給を均一に行うことが可能となり、安定的にカンゾウ属植物の地下部を収穫することができる。
【００２６】
本発明のカンゾウ属植物の栽培方法の一態様では、栽培用筒体を断熱材で囲むので、筒体内の培土の温度の変動が抑制されると共に、大気温度が高い場合でも該培土の過度な温度上昇が防止される。これにより、培土の過剰な乾燥や、高温性ピシウム菌に罹病することが防止される。
【００２７】
本発明の一態様では、筒体の内周面に凸条を設けておくことにより、カンゾウ属植物と共に培土を筒体から引き抜くときの摩擦抵抗を小さくすることができる。
【００２８】
筒体の内周面に沿って不織布又は遮根シートを配置しておくことにより、この引き抜き時の摩擦抵抗を小さくすることができる。
【図面の簡単な説明】
【００２９】
【図１】（ａ）は実施の形態に係る栽培用筒体の斜視図、（ｂ）はその使用状態を示す断面図である。
【図２】実施の形態に係る栽培方法を示す側面図である。
【図３】筒体の配列例を示す平面図である。
【図４】実施の形態に係るカンゾウ属植物の栽培用筒体の下部の断面図である。
【図５】実施の形態に係るカンゾウ属植物の栽培用筒体の下部の断面図である。
【図６】実施の形態に係る栽培方法を示す斜視図である。
【図７】実施の形態に係る栽培方法を示す平面図である。
【図８】実施の形態に係る栽培方法を示す平面図である。
【図９】（ａ）は実施の形態に係るカンゾウ属植物の栽培用筒体の斜視図、（ｂ）は（ａ）のＢ−Ｂ線断面図である。
【発明を実施するための形態】
【００３０】
以下、図面を参照して実施の形態について説明する。図１（ａ）は、本発明の一例に係る栽培用筒体１を示す斜視図である。この栽培用筒体１は、円筒部１ａを有した円筒形であるが、略筒型形状を有するものであれば、素材や大きさにかかわりなく、用いることができる。
【００３１】
筒体１の内径の下限値は３０ｍｍ以上、特に５０ｍｍ以上が好ましい。筒体１の内径の上限値は、一つの筒体に複数のカンゾウ属植物Ｐを入れる場合は、５００ｍｍ以下、特に３００以下が好ましい。筒体１の内径の上限値は、一つの筒体に１株のカンゾウ属植物Ｐを入れる場合は、２００ｍｍ以下、特に１５０ｍｍ以下が好ましい。また、筒体１の長さの下限値は５００ｍｍ以上、特に７００ｍｍ以上が好ましく、長さの上限値は、２０００ｍｍ以下、特に１５００ｍｍ以下が好ましい。
【００３２】
筒体１の内径の下限値をこのような範囲とすることにより、カンゾウ属植物Ｐの地下部が十分に生長することができる。また、筒体１の内径の上限値をこのような範囲とすることにより、カンゾウ属植物Ｐの地下部が生長し、筒体１から取り出す作業が容易となる。なお、本発明において、栽培用筒体の「上部」とは、カンゾウ属植物を生育させるために栽培用筒体を設置する際の上下方向における栽培用筒体の上部を示し、栽培用筒体の「下部」とは、カンゾウ属植物を生育させるために栽培用筒体を設置する際の上下方向における栽培用筒体の下部を示し、底部を含む。また、栽培用筒体の「底部」や「下端」「下端部」は、カンゾウ属植物を生育させるために栽培用筒体を設置する際の上下方向における栽培用筒体の最下部を示す。
【００３３】
この実施の形態においては、筒体1の底部１ｂから所定距離上方には、複数個の小孔（透水孔）１ｃを有した略水平な仕切り部材１ｄが設けられている。仕切り部材１ｄとしては、根を通さず、水を透過するものであれば、何れも使用可能である。例えば、不織布又は遮根シートのようなシート状部材や、根が通過しない小さな孔を有する板状部材などが挙げられる。仕切り部材が板状部材の場合、例えば、樹脂素材、金属素材、または木材などがある。
【００３４】
底部１ｂからの仕切り部材１ｄの高さは、１０ｍｍ以上、特に１５ｍｍ以上が好ましく、１００ｍｍ以下、特に７０ｍｍ以下が好ましい。
【００３５】
仕切り部材１ｄと底部１ｂとの間は水の貯留室１ｆとなっており、１対のノズル１ｅ，１ｅによって水が出し入れ可能となっている。なお、ノズル１ｅ，１ｅは直径方向に設けられてもよく、後述の図３のように、弦方向に設けられてもよい。
【００３６】
図１（ｂ）の通り、筒体１内に培土Ｃが充填され、カンゾウ属植物Ｐが植えられ、ノズル１ｅ，１ｅを介して貯留室１ｆに所定水位に水を溜めることによって潅水が行われ、植物Ｐが生育される。なお、本発明において、培土Ｃとしては、土や砂など自然界に存在する床土に限定されず、ロックウール、パーライト、礫（レキ）などの無機培地やピートモス、ヤシガラ、バークなどの有機培地などの人工床土も使用可能である。また、本発明において、複数の栽培用筒体を用いてカンゾウ属植物の栽培を行う場合、充填する培土の水分量や粒子の大きさが均質であるほど好ましい。これによれば、給水供給をより均一に行うことが可能となり、より安定的にカンゾウ属植物の地下部を収穫することができる。
【００３７】
なお、水は水道水や井水、雨水などの真水であってもよく、肥料成分等を含んだ養液であってもよい。
【００３８】
前述の通り、カンゾウ属植物の根は水分を求めて真直ぐ下方に伸びるので、この実施の形態によると、比較的真直ぐな根が生長し、形状の良好な根を有したカンゾウ属植物を収穫することができる。なお、根の先端が水位上端にまで伸びると、根はそれ以上下方へは伸びず、その後、根は太くなるように生長する。
【００３９】
水は、貯留室１ｆ内に対し、水位が仕切り部材１ｄよりも高位となるように給水されてもよく、仕切り部材１ｄ以下となるように給水されてもよい。栽培当初には水位が仕切り部材１ｄよりも高位となるようにし、その後は水位が仕切り部材１ｄ以下となるようにしてもよい。本発明の植物栽培装置及び植物栽培方法においては、このように、根の伸長に合わせて、水位を調整することができる。なお、本発明の植物栽培方法において、栽培初期の水位と栽培後期の水位を変えることが好ましい。本発明の植物栽培方法における、好ましい水位調整方法は、例えば、カンゾウ属植物の地下部が短い栽培初期は水位を高位として、栽培用筒体内におけるカンゾウ属植物の根の先端が上部にあっても根からの吸水を容易にし、地下部が栽培用筒体内の下部へ伸長生長する栽培後期には水位を低位として、収穫に向くカンゾウ属植物の地下部長さを調整することができる。
【００４０】
本発明では、図３のように、複数の筒体１のノズル１ｅ，１ｅ同士を継手によって直列に接続し、各筒体１に給水を行うようにしてもよい。この場合、筒体１の列を複数列並列に設け、各列に共通の給水配管３及び分岐給水配管４を介して給水を行うようにしてもよい。
【００４１】
図１では、筒体１の底部１ｂと仕切り部材１ｄとの間に貯留室１ｆを形成しているが、本発明では、図４の筒体１Ａのように、トレー５上に無底の筒体１Ａを立てることにより、仕切り部材とトレー５の底面５ｂとの間に貯留室１ｆを形成してもよい。なお、この態様において、仕切り部材は遮根シート６として例示される。また、この場合、ノズル１ｅは省略され、その代りに筒体１の円筒部１ａの下端から上方に向って複数個の切欠部１ｇが設けられている。該切欠部１ｇを介して貯留室１ｆ内に水が出入りする。トレー５に１対のノズル５ａ，５ａが設けられている。
【００４２】
図４では、筒体１Ａ内に、下端が閉じた筒状（長い袋状）の遮根シート６が筒体１Ａの内周面に沿って配置されている。培土Ｃはこの袋状遮根シート６内に充填されている。この遮根シート６を用いることにより、収穫時にカンゾウ属植物Ｐを引っ張った際の培土Ｃと筒体１Ａ内周面との摩擦抵抗が小さくなり、培土Ｃとカンゾウ属植物Ｐとを一体的に筒体１Ａから引き抜くことができる。遮根シート６は前述の図１の態様や後述の各態様においても用いられてもよい。
【００４３】
本発明の仕切り部材として、不織布又は遮根シートのようなシート状部材を使用する場合、根を通さず水を透過するものであれば素材は限定されない。例えば、不織布としては、ポリエチレン、ポリプロピレン、ポリエチレンテレフタレート、ナイロンなどの合成樹脂製不織布が好適である。図４のように、培土を詰めて袋状として用いる場合は、シート状部材は、先端の閉じた筒状に形成されて筒体内に挿入されるようにして筒体内周面に沿って配置されるのが好ましい。ただし、シート状部材の配置方法はこれに限定されない。
【００４４】
本発明の仕切り部材として、遮根シート（根切シート）としては、ポリエチレン、ポリプロピレン、ポリエチレンテレフタレートナイロンなどの合成樹脂製素材のほか、生糸などの天然素材を使用することもでき、これらを糸として織られた平織の密な織物（例えば、タフタ）などを用いることができる。
【００４５】
本発明では、図５のような形態の筒体１Ｂを用いてもよい。この場合、筒体１Ｂの下端部に小石、砂などの粒状体７を充填し、また筒状遮根シート６を用いることが好ましい。粒状体７の上面レベルは、上述した仕切り部材１ｄの上面レベルと同程度とされるのが好ましい。粒状体７同士の間の隙間を通して培土Ｃに給水される。粒状体７の代わりに、網状体やスポンジなどの多孔質体を設置してもよい。なお、図４や図５のように、トレー５上に筒体１Ａを立てた構成は、トレーに、栽培用筒体の下端部が上方から差し込まれることにより形成できる。
【００４６】
本発明では、筒体内の培土の温度の変化や過度な上昇又は低下を防止するために、筒体を断熱材で囲んでもよい。断熱材は個々の筒体に設けられてもよく、複数の筒体をまとめて囲んでもよい。
【００４７】
図６はその一例を示す斜視図であり、上開の直方体形の断熱材ボックス１０内に複数の筒体１が配列されている。断熱材としては、発泡ポリスチレン等の発泡合成樹脂が好適である。
【００４８】
このように筒体１を断熱材で囲むことにより、大気温度が大きく変動しても、筒体１内の培土Ｃの温度変化は小さいものとなる。また、夏季など大気温度が高温となっても、直射日光が筒体に照射され筒体温度が上昇し高温となることを防ぎ、生育限界温度を超えた培土温度の上昇が抑制される。また、培土の過度な乾燥によるカンゾウ属植物の枯れや、高温性ピシウム菌に罹病することが防止される。
【００４９】
断熱材ボックス１０内の筒体１に給水するには、図７のように、隣接する筒体１の各ノズル１ｅ同士を前述の図２のように継手２（図７では図示略）を用いて接続し、最上流側の筒体１のノズル１ｅに、タンク１１内の水を配管１２を介して給水するのが好ましい。この場合、タンク１１にボールタップ１３等の定水位給水機構を設けておくと、各筒体１内の水位が均等となるように給水することができる。
【００５０】
定水位給水機構は、特に限定されるものでないが、例えば、ボールタップ式や電極式などが使用可能である。図７では、筒体から側方に張り出すノズル１ｅを介して各筒体１に給水するようにしているが、図８のように、底部に１個のノズル１ｈを有した筒体１Ｃを断熱材ボックス１０内に配列した場合には、該断熱材ボックス１０の底面に設けた開口を介してノズル１ｈを断熱材ボックス１０の下方に突出させて配管１２に接続し、タンク１１から配管１２及び各ノズル１ｈを介して各筒体１Ｃに給水するようにしてもよい。なお、ボールタップ式の場合、筒体の水位を意図的に変更するために、ボールタップ１３の垂直方向高さを上下するため、タンク１１が高さ調節可能な台に置かれていることが好ましい。
【００５１】
また、定水位給水機構が電極式の場合、タンク１１の設置高さを変えずに、電極棒を調節することで容易に筒体の水位を変更することができ、なお好ましい。
【００５２】
これらの給水手段を採用すると、各筒体への給水量を容易にコントロールすることができる。なお、給水の温度を制御してもよい。このように、本発明においては、培地の水分量や培地の温度を調節することができる。
【００５３】
本発明では、円筒部１ａの内周面に、凸部を設けてもよい。凸部は、半球体などの突起であってもよく、後述の図９のように、筋状に延在する凸条であってもよい。また、複数の凸部が規則的に設けられてもよく、ランダムに設けられてもよい。
【００５４】
円筒部１ａの内周面からの凸部の起立高さは３ｍｍ以上、特に５ｍｍ以上が好ましく、１５ｍｍ以下、特に１０ｍｍ以下が好ましい。凸部の幅は、５ｍｍ以上、特に１０ｍｍ以上が好ましく、２５ｍｍ以下、特に２０ｍｍ以下が好ましい。
【００５５】
図９の筒体１Ｄは、円筒部１ａの内周面に、凸部として、円筒部１ａの軸心線と平行方向に延在する凸条１ｔを設けたものである。この場合、凸条１ｔは、円筒部１ａの内周面の周方向に好ましくは等間隔で、例えば、３〜８条程度、特に４〜６条設けられることが好ましい。凸条１ｔの円筒部１ａの内周面からの起立高さは、３ｍｍ以上、特に５ｍｍ以上が好ましい。また、１５ｍｍ以下、特に１０ｍｍ以下が好ましい。凸条１ｔの幅は５ｍｍ以上、特に１０ｍｍ以上が好ましい。また、２５ｍｍ以下、特に２０ｍｍ以下が好ましい。凸条１ｔは、円筒部１ａの上端から下端まで連続して延在することが好ましい。
【００５６】
この凸条１ｔなどの凸部を設けると、収穫時に培土Ｃと筒体１Ｄの内周面（特に凸条１ｔ付近）との間に隙間が生じ、培土Ｃ及びカンゾウ属植物Ｐを筒体１から引き抜くときの筒体内周面との摩擦抵抗が小さくなり、培土Ｃ及びカンゾウ属植物Ｐを筒体１Ｄから引き抜き易くなる。
【００５７】
なお、図示の凸条１ｔは円弧形断面形状となっているが、角形、方形、多角形などの断面形状とされてもよい。
【００５８】
円筒部１ａの内周面に凸部を設けた場合には、筒体の内周面に沿って不織布などのシート状部材を配材することが好適である。このように不織布などのシート状部材を筒体内周面に沿って設けることにより、前述の通り、培土Ｃ及びカンゾウ属植物Ｐを筒体から引き抜くときに、培土Ｃと筒体内周面との摩擦抵抗が小さくなり、培土Ｃ及びカンゾウ属植物Ｐを筒体から引き抜き易くなる。特に、凸部付近で不織布などのシート状部材と筒体内周面との間に隙間が生じ、培土Ｃと筒体内周面との摩擦抵抗が小さくなる。
【００５９】
上記実施の形態は本発明の一例であり、本発明は上記以外の形態とされてもよい。
【００６０】
例えば、本発明では、筒体を地中に埋設し、培土の温度変化を抑制してもよい。また、筒体はハウス内に置かれてもよく、ハウス外に置かれてもよい。
【符号の説明】
【００６１】
１，１Ａ，１Ｂ，１Ｃ，１Ｄ  栽培用筒体
１ａ  円筒部
１ｂ  底部
１ｃ  小孔
１ｄ  仕切り部材
１ｅ  ノズル
１ｆ  貯留室
１ｇ  切欠部
１ｔ  凸条
２  継手
５  トレー
７  粒状体
１０  断熱材ボックス
１１  タンク
１２  配管
【図１】
2019187337.tif 000003
【図２】
2019187337.tif 000004
【図３】
2019187337.tif 000005
【図４】
2019187337.tif 000006
【図５】
2019187337.tif 000007
【図６】
2019187337.tif 000008
【図７】
2019187337.tif 000009
【図８】
2019187337.tif 000010
【図９】
2019187337.tif 000011